(57)【要約】【課題】小動物とコミュニケーションを取ることができる小動物用ケース。【解決手段】ケース本体１１に屋根１８を取り付け、ケース本体１１の上部開口部を閉鎖する。屋根１８を、三角形状の側板２１と両側板２１の斜辺間に架橋する傾斜板２２で構成し、中央部が上方に突出した屋根形状に形成する。傾斜板２２に、ケース本体１１側へ没入する外方開口状の凹部３１を形成し、凹部３１の開口部分を、屋根１８に一縁が枢支された無色透明の蓋体３２で開閉自在に閉鎖する。これにより、屋根１８にハムスター３３の居住空間３４を有したコミュニケーションルーム３５を形成する。コミュニケーションルーム３５の壁面４１に、ケース本体１１内部に連通する出入口４２を開設し、出入口４２に、ケース本体１１内へ向けて延出する上段はしご部４３を設ける。【選択図】　　　　　図１
0003097928.tif 000002
【実用新案登録請求の範囲】
【請求項１】
ケース本体の上部が天部で閉鎖された小動物用ケースにおいて、
前記天部に、前記ケース本体側へ没入する外方開口状の凹部を形成し、該凹部の開口部分を蓋体で開閉自在に閉鎖して当該天部に小動物のコミュニケーションルームを形成するとともに、該コミュニケーションルーム内部と前記ケース本体内部とを連通する前記小動物の出入口を設けたことを特徴とする小動物用ケース。
【請求項２】
前記蓋体を、透明性を有する部材で形成したことを特徴とする請求項１記載の小動物用ケース。
【請求項３】
前記蓋体の縁部に、下方へ延出する下方延出部を設けたことを特徴とする請求項２記載の小動物用ケース。
【請求項４】
前記出入口に、前記ケース本体内部へ向けて延出し、前記コミュニケーションルームへの前記小動物が登り降りを補助するはしご部を設けたことを特徴とする請求項１、２又は３記載の小動物用ケース。
【請求項５】
前記コミュニケーションルームの側壁の一部の高さ寸法を、他の部位より低く設定したことを特徴とする請求項１から４にいずれか記載の小動物用ケース。
【請求項６】
前記天部の周縁部側に位置する前記コミュニケーションルームの側壁部分を排除したことを特徴とする請求項１から５にいずれか記載の小動物用ケース。
【請求項７】
前記天部を、相対向する三角形状の側板と、両側板の対向した各斜辺間に架橋する傾斜板とによって中央部が上方に突出した屋根形状に形成するとともに、一方の傾斜板に前記凹部を形成して前記コミュニケーションルームを形成したことを特徴とする請求項１から６にいずれか記載の小動物用ケース。
【考案の詳細な説明】
【０００１】
【考案の属する技術分野】
本考案は、小鳥やリスやハムスター等の小動物を飼育する小動物用ケースに関する。
【０００２】
【従来の技術】
従来、ハムスターを飼育する際には、小動物用ケースが用いられていた。
【０００３】
この小動物用ケースは、底部の周縁に周壁が起立されたケース本体と、該ケース本体の上部を閉鎖する天部とによって構成されており、前記周壁に設けられた開口部からハムスターを出し入れできるように構成されている。
【０００４】
【考案が解決しようとする課題】
しかしながら、このような小動物用ケースにあっては、内部のハムスターに触れる等してコミュニケーションを取る場合、周壁の開口部からケースの奥まで手を入れなければならなかった。
【０００５】
本考案は、このような従来の課題に鑑みてなされたものであり、収容された小動物と容易にコミュニケーションを取ることができる小動物用ケースを提供することを目的とするものである。
【０００６】
【課題を解決するための手段】
前記課題を解決するために本考案の請求項１の小動物用ケースにあっては、ケース本体の上部が天部で閉鎖された小動物用ケースにおいて、前記天部に、前記ケース本体側へ没入する外方開口状の凹部を形成し、該凹部の開口部分を蓋体で開閉自在に閉鎖して当該天部に小動物のコミュニケーションルームを形成するとともに、該コミュニケーションルーム内部と前記ケース本体内部とを連通する前記小動物の出入口を設けた。
【０００７】
すなわち、小動物とコミュニケーションを取る際には、ケース本体内の小動物を出入口を介して天部に形成されたコミュニケーションルームへ呼び込む。そして、凹部の開口部分を閉鎖する蓋体を開放して、前記コミュニケーションルーム内へ手を入れ、小動物に触れるなどしてコミュニケーションが図られる。
【０００８】
また、請求項２の小動物用ケースにおいては、前記蓋体を、透明性を有する部材で形成した。
【０００９】
これにより、コミュニケーションルーム内部の様子が、透明性を有する蓋体を介して観察される。
【００１０】
さらに、請求項３の小動物用ケースでは、前記蓋体の縁部に、下方へ延出する下方延出部を設けた。
【００１１】
これにより、コミュニケーションルームの側壁の高さ寸法を抑えることができ、内部観察領域が広げられる。
【００１２】
加えて、請求項４の小動物用ケースにあっては、前記出入口に、前記ケース本体内部へ向けて延出し、前記コミュニケーションルームへの前記小動物が登り降りを補助するはしご部を設けた。
【００１３】
これにより、リスやハムスター等の小動物にあっては、ケース本体とコミュニケーションルーム間の登り降りが、はしご部によって補助される。
【００１４】
また、請求項５の小動物用ケースにおいては、前記コミュニケーションルームの側壁の一部の高さ寸法を、他の部位より低く設定した。
【００１５】
これにより、コミュニケーションルーム内部を斜めから観察することができる。
【００１６】
さらに、請求項６の小動物用ケースでは、前記天部の周縁部側に位置する前記コミュニケーションルームの側壁部分を排除した。
【００１７】
これにより、コミュニケーションルーム内部を側方から観察することができる。
【００１８】
加えて、請求項７の小動物用ケースにあっては、前記天部を、相対向する三角形状の側板と、両側板の対向した各斜辺間に架橋する傾斜板とによって中央部が上方に突出した屋根形状に形成するとともに、一方の傾斜板に前記凹部を形成して前記コミュニケーションルームを形成した。
【００１９】
すなわち、コミュニケーションルームは、中央部が上方に突出した屋根形状の天部に形成されており、当該コミュニケーションルームのケース本体内への突出量が抑制される。
【００２０】
【考案の実施の形態】
以下、本考案の一実施の形態を図にしたがって説明する。図１は、本実施の形態にかかる小動物用ケース１を示す図である。該小動物用ケース１は、小鳥やリスやハムスター等の小動物を飼育する際に用いられるものであり、ハムスターを飼育する場合を例に挙げて説明する。
【００２１】
すなわち、この小動物用ケース１は、ケース本体１１を備えており、該ケース本体１１は、矩形容器状の底部トレイ１２と、該底部トレイ１２の周縁に立設された周壁１３とによって構成されている。このケース本体１１内には、図２にも示すように、回し車１４と吸水具１５と中間棚１６とが設けられており、該中間棚１６には、容器状のハウス１７が設置されている。このケース本体１１の上部には、天部である屋根１８が取り付けられており、当該ケース本体１１の上部開口部が閉鎖されている。
【００２２】
この屋根１８は、図１に示したように、三角形状に形成された相対向する側板２１と、両側板２１の対向した各斜辺間に架橋する傾斜板２２，２２とからなり、中央部が上方に突出した屋根形状に形成されている。この屋根１８の一方の傾斜板２２には、矩形状の開口部２３が設けられており、該開口部２３は、前記屋根１８に一縁が枢支された無色透明の窓２４によって開閉自在に閉鎖され、掃除等を行えるように構成されている。
【００２３】
また、前記屋根１８の他方の傾斜板２２には、前記ケース本体１１側へ没入する外方開口状の凹部３１が形成されており、該凹部３１の開口部分は、前記屋根１８に一縁が枢支された無色透明の蓋体３２で開閉自在に閉鎖されている。これにより、前記屋根１８には、小動物としてのハムスター３３の居住空間３４を形成するコミュニケーションルーム３５が形成されている。
【００２４】
このコミュニケーションルーム３５を形成する前記凹部３１の壁面４１には、前記ケース本体１１内部に連通する半円形状の出入口４２が開設されており、該出入口４２は、前記ハムスター３３が出入りできる大きさに設定されている。この出入口４２には、前記ケース本体１１内へ向けて延出する上段はしご部４３が設けられており、該上段はしご部４３は、前記中間棚１６に達している。この中間棚１６には、前記底部トレイ１２へ向けて延出する下段はしご部４４が設けられており、該下段はしご部４４は、底部トレイ１２の底面４５に達している。これにより、ケース本体１１内のハムスター３３の前記コミュニケーションルーム３５への登り降りを補助できるように構成されている。
【００２５】
以上の構成にかかる本実施の形態において、小動物であるハムスター３３とコミュニケーションを取る際には、ケース本体１１内のハムスター３３を、凹部３１の壁面４１に設けられた出入口４２を介して、屋根１８に形成されたコミュニケーションルーム３５へ呼び込む。そして、前記凹部３１の開口部分を閉鎖する蓋体３２を開放して、前記コミュニケーションルーム３５内へ手を入れ、ハムスター３３に触れるなどしてコミュニケーションを図ることができる。
【００２６】
したがって、ケース本体周壁の開口部からケース内に手を入れなければならなかった従来と比較して、ケース本体１１の奥まで手を入れること無く、収容されたハムスター３３と容易にコミュニケーションを取ることができる。また、ケース本体側部から手を入れる構造上、手の動きが拘束される従来と比較して、ハムスター３３に触れる等のコミュニケーションを容易とすることができる。
【００２７】
また、前記コミュニケーションルーム３５を開閉する蓋体３２は無色透明であり、この蓋体３２を閉鎖した状態で、コミュニケーションルーム３５内の様子を観察することができる。
【００２８】
このとき、前記コミュニケーションルーム３５の側壁４１の屋根１８の中心部側の高さ寸法Ａが、他の部位の高さ寸法Ｂより高くなるように設定されている。このため、コミュニケーションルーム３５内部を図３中矢視したように、斜めからも観察することができる。
【００２９】
なお、図４に示すように、側部に位置する側壁４１を水平に切り欠いても良い。
【００３０】
さらに、図５に示すように、前記屋根１８の周縁部側に位置する前記コミュニケーションルーム３５の側壁４１部分を排除しても良い。この場合、図中矢印で示したように、コミュニケーションルーム３５内部を側壁を排除した方向から観察することができる。
【００３１】
また、このコミュニケーションルーム３５とケース本体１１をと連通する出入口４２には、ケース本体１１内部の中間棚１６に達する上段はしご部４３が設けられており、前記ハムスター３３は、この上段はしご部４３を利用して、ケース本体１１とコミュニケーションルーム３５間の登り降りを容易とすることができる。
【００３２】
そして、前記コミュニケーションルーム３５は、中央部が上方に突出した屋根１８に形成されており、当該コミュニケーションルーム３５のケース本体１１内への突出量を抑制することができる。
【００３３】
これにより、ケース本体１１内の居住性を損なうこと無く、コミュニケーションルーム３５を形成することができる。
【００３４】
なお、本実施の形態にあっては、このコミュニケーションルーム３５の壁面４１に出入口４２を設けたが、図３に示すように、底面に出入口４２を設けても良い。
【００３５】
また、前記蓋体３２の縁部に、図６に示すように、下方へ延出する下方延出部５１を形成し、図７に示すように、底面まで延出しても良い。この場合、コミュニケーションルーム３５の側壁４１の高さ寸法を抑えることができ、内部観察領域を広げることができる。
【００３６】
【考案の効果】
以上説明したように、本考案の請求項１の小動物用ケースにあっては、ケース本体内の小動物を、天部に設けられたコミュニケーションルームへ呼び込むことで、上方からコミュニケーションルーム内へ手を入れ、小動物に触れるなどしてコミュニケーションを図ることができる。
【００３７】
したがって、ケース本体周壁の開口部からケース内に手を入れなければならなかった従来と比較して、ケース本体の奥まで手を入れること無く、収容された小動物と容易にコミュニケーションを取ることができる。また、ケース本体側部から手を入れる構造上、手の動きが拘束される従来と比較して、小動物に触れる等のコミュニケーションを容易とすることができる。
【００３８】
また、請求項２の小動物用ケースにおいては、コミュニケーションルームを開閉する蓋体を、透明性を有する部材で形成することによって、この蓋体を閉鎖した状態で、コミュニケーションルーム内の様子を観察することができる。
【００３９】
さらに、請求項３の小動物用ケースでは、前記蓋体の縁部に、下方へ延出する下方延出部を設けたため、コミュニケーションルームの側壁の高さ寸法を抑えることができ、内部観察領域を広げることができる。
【００４０】
加えて、請求項４の小動物用ケースにあっては、コミュニケーションルームとケース本体をと連通する出入口に、ケース本体内部へ向けて延出するはしご部を設けることによって、リスやハムスター等の小動物にあっては、このはしご部を利用することで、ケース本体とコミュニケーションルーム間の登り降りを容易とすることができる。
【００４１】
また、請求項５の小動物用ケースにおいては、前記コミュニケーションルームの側壁の一部の高さ寸法を、他の部位より低く設定したたため、コミュニケーションルーム内部を斜めから観察することができる。
【００４２】
さらに、請求項６の小動物用ケースでは、前記天部の周縁部側に位置する前記コミュニケーションルームの側壁部分を排除したので、コミュニケーションルーム内部を側方から観察することができる。
【００４３】
加えて、請求項７の小動物用ケースにあっては、コミュニケーションルームは、中央部が上方に突出した屋根形状の天部に形成されており、当該コミュニケーションルームのケース本体内への突出量を抑制することができる。
【００４４】
これにより、ケース本体内の居住性を損なうこと無く、コミュニケーションルームを形成することができる。
【図面の簡単な説明】
【図１】本考案の一実施の形態を示す図である。
【図２】同実施の形態を示す要部断面図である。
【図３】本発明の実施の形態を示す図で、（ａ）は要部断面図であり、（ｂ）は斜視図である。
【図４】他の実施の形態を示す図である。
【図５】他の実施の形態の要部断面図である。
【図６】他の実施の形態の要部断面図である。
【図７】（ａ）は、他の実施の形態の要部断面図であり、（ｂ）はその変形例である。
【符号の説明】
１　　小動物用ケース
１１　　ケース本体
１８　　屋根（天部）
２１　　側板
２２　　傾斜板
３１　　凹部
３２　　蓋体
３３　　ハムスター
３５　　コミュニケーションルーム
４１　　壁面
４２　　出入口
４３　　上段はしご部
５１　　下方延出部
【図１】
0003097928.tif 000003
【図２】
0003097928.tif 000004
【図３】
0003097928.tif 000005
【図４】
0003097928.tif 000006
【図５】
0003097928.tif 000007
【図６】
0003097928.tif 000008
【図７】
0003097928.tif 000009